(57)【特許請求の範囲】
【請求項１】
表示意匠が形成された文字板と、前記文字板の前面側に配された基板と、前記文字板と前記基板の間に配されかつ前記基板上の内機に取り付けられて回転して前記表示意匠を指示する指針と、を備えた計器装置であって、
前記基板における、前記文字板の前記前面と相対する側の裏面に設けられた文字板用光源と、
透光性材料で構成され、かつ、前記文字板用光源と相対する受光部と、前記受光部に連なり前記文字板の裏面に重ねられる導光部と、を有した導光板と、
遮光性材料で構成され、前記文字板用光源及び前記受光部と、前記文字板と、の間を仕切って前記文字板の前記前面へと向かう光を遮る遮光部と、を備えたことを特徴とする計器装置。
【請求項２】
前記基板の前記裏面に設けられ、前記指針の回転中心となる基端部と相対する指針用光源と、
遮光性材料で構成され、前記基板の前記裏面から立設して前記指針用光源を囲む筒状の第２遮光部と、
遮光性材料で構成され、前記基端部から前記基板に向かって立設して前記第２遮光部を囲む筒状の第３遮光部と、を備えたことを特徴とする請求項１に記載の計器装置。
【請求項３】
前記導光部の前記文字板から離れた側の裏面でかつ前記表示意匠に対応する部分に、前記導光部内の光を拡散させる拡散部が設けられたことを特徴とする請求項１または請求項２に記載の計器装置。
【発明の詳細な説明】
【技術分野】
【０００１】
本発明は、自動車等の移動体に搭載され、文字板の表示意匠を指針が回転して指示する計器装置に関し、特に、指針を回転させる内機が文字板の前面側に配された計器装置に関する。
【背景技術】
【０００２】
自動車や船舶等の移動体には、各種の計測手段が計測した情報を移動体の乗員に対し表示するために、計器装置が搭載されている。このような計器装置のうち指針を用いるアナログ式の計器装置においては、光源の光により指針を光輝させる形式のものがある（例えば、特許文献１参照）。
【０００３】
特許文献１に記載された計器装置は、表示意匠としての目盛が形成された文字板と、文字板の裏面側に配されたメイン基板と、文字板の前面側に配されてメイン基板と接続された補助基板と、文字板と補助基板との間に配された指針と、を備えている。指針は、補助基板上の内機の出力軸に取り付けられ、回転して表示意匠を指示する。このように、特許文献１に記載された計器装置は、内機を補助基板上に設けて文字板の前面側の既存のスペースに配することで、小型化（薄型化）を実現している。
【０００４】
また、前述した計器装置においては、補助基板の裏面に設けられた指針用光源によって指針を光輝させている一方、文字板（の目盛）を光輝させる文字板用光源が設けられていないので、周囲の状況によっては目盛の視認性が低下する虞があった。
【先行技術文献】
【特許文献】
【０００５】
【特許文献１】特開２００４−２７９１２４号公報
【発明の概要】
【発明が解決しようとする課題】
【０００６】
そこで、前述の計器装置において、例えばメイン基板に文字板用光源を設け、さらに、文字板用光源の光を文字板に導光する導光板を設けることが考えられる。導光板は、例えば、文字板用光源と相対する受光部と、受光部に連なり文字板の裏面に重ねられる導光部と、を備えたものである。しかし、メイン基板に文字板用光源を設けると、文字板用光源のメイン基板からの突出量や、導光板の受光部の突出量等によって、計器装置が大型化する（厚くなる）といった問題があった。
【０００７】
また、他の方法として、補助基板の裏面に文字板用光源を設け、さらに前述した導光板を設けることが考えられる。しかし、単に補助基板の裏面に文字板用光源を設けるだけでは、文字板用光源の光が直接または受光部から漏れて文字板の前面に向かって放射され、文字板の前面全体を照らすので、目盛を視認しづらいといった問題があった。
【０００８】
本発明は、このような問題を解決することを目的としている。即ち、本発明は、小型化できかつ文字板の視認性を向上させることができる計器装置を提供することを目的としている。
【課題を解決するための手段】
【０００９】
前記課題を解決し目的を達成するために、請求項１に記載された発明は、表示意匠が形成された文字板と、前記文字板の前面側に配された基板と、前記文字板と前記基板の間に配されかつ前記基板上の内機に取り付けられて回転して前記表示意匠を指示する指針と、を備えた計器装置であって、前記基板における、前記文字板の前記前面と相対する側の裏面に設けられた文字板用光源と、透光性材料で構成され、かつ、前記文字板用光源と相対する受光部と、前記受光部に連なり前記文字板の裏面に重ねられる導光部と、を有した導光板と、遮光性材料で構成され、前記文字板用光源及び前記受光部と、前記文字板と、の間を仕切って前記文字板の前記前面へと向かう光を遮る遮光部と、を備えたことを特徴とした計器装置である。
【００１０】
請求項２に記載された発明は、請求項１に記載された計器装置において、前記基板の前記裏面に設けられ、前記指針の回転中心となる基端部と相対する指針用光源と、遮光性材料で構成され、前記基板の前記裏面から立設して前記指針用光源を囲む筒状の第２遮光部と、遮光性材料で構成され、前記基端部から前記基板に向かって立設して前記第２遮光部を囲む筒状の第３遮光部と、を備えたことを特徴とした計器装置である。
【００１１】
請求項３に記載された発明は、請求項１または請求項２に記載された計器装置において、前記導光部の前記文字板から離れた側の裏面でかつ前記表示意匠に対応する部分に、前記導光部内の光を拡散させる拡散部が設けられたことを特徴とした計器装置である。
【発明の効果】
【００１２】
請求項１に記載された発明によれば、文字板用光源と導光板の受光部が基板と文字板の間のスペースに位置付けられるので、計器装置を小型化（薄型化）できる。さらに、文字板用光源を文字板の前面側に設けても、遮光部が文字板用光源や受光部から漏れて文字板の前面へと向かおうとする光を遮るので、文字板の前面が照らされることがなく、表示意匠の視認性を向上させることができる。
【００１３】
請求項２に記載された発明によれば、指針用光源が基板と文字板のスペースに位置付けられるので、計器装置をさらに小型化（薄型化）できる。さらに、第２遮光部及び第３遮光部が指針用光源から文字板の前面へと向かおうとする光を遮るので、指針を十分に光輝させることができるだけでなく、文字板の前面が照らされることがなくなって、表示意匠の視認性を向上させることができる。
【００１４】
請求項３に記載された発明によれば、拡散部が導光部内の光を拡散させるので、表示意匠を均一に光輝させることができ、表示意匠の視認性を向上させることができる。
【図面の簡単な説明】
【００１５】
【図１】本発明の一実施形態にかかる計器装置の平面図である。
【図２】図１に示された計器装置の内部を示す平面図である。
【図３】図１に示された計器装置の図２中のＩＩＩ−ＩＩＩ線に沿った断面図である。
【図４】図３の要部を拡大して示す断面図である。
【図５】図２に示された裏カバーの平面図である。
【図６】図２に示された文字板の平面図である。
【図７】図２に示された基板の平面図である。
【図８】図２に示された導光板及び遮光部の斜視図である。
【図９】図８に示された導光板に遮光部が重ねられた状態を示す、図８中のＩＸ−ＩＸ線に沿った断面図である。
【発明を実施するための形態】
【００１６】
以下、本発明の一実施形態にかかる計器装置１を図１ないし図９を参照して説明する。本発明の一実施形態にかかる図１に示す計器装置１は、自動車等の移動体に搭載され、移動体の乗員に対して当該移動体の車速を表示するスピードメータである。計器装置１は、図３に示すように、裏カバー１０と、表パネル２０と、表ガラス２１と、表示計器３とを備えている。
【００１７】
裏カバー１０は、例えば白色等の光を反射しやすい色の合成樹脂で構成されている。裏カバー１０は、図４及び図５に示すように、底壁１１と、底壁１１の外縁から立設した周壁１２とを備え、表パネル２０側に開口した箱状に形成されている。底壁１１の内面１０ａには、平面視Ｃ字状の収容凹部１３が形成されている。収容凹部１３は、後述する導光板５の導光部５１と略等しい平面形状に形成され、内側に導光部５１を収容する。また、収容凹部１３の外縁部には、導光板５の受光部５２が重ねられる平面視コ字状の内壁１４が一対立設している。
【００１８】
表パネル２０は、図３に示すように、裏カバー１０の開口を覆うように、裏カバー１０の周壁１２に取り付けられる。表パネル２０と裏カバー１０の間の空間には、表示計器３が収容されている。表パネル２０には、後述する文字板３１の目盛３２周辺を乗員に対して露出する露出窓２０ａが設けられている。表パネル２０は、目盛３２周辺以外を乗員に対して遮蔽する。
【００１９】
表ガラス２１は、透明な合成樹脂で構成され、板状に形成されている。表ガラス２１は、露出窓２０ａを覆うように表パネル２０に取り付けられ、計器装置１内に埃等が侵入することを防止する。
【００２０】
表示計器３は、図３に示すように、文字板３１と、基板３３と、内機としてのムーブメント３５と、文字板用光源としての文字板用ＬＥＤ３６と、指針用光源としての指針用ＬＥＤ３７と、指針４と、導光板５とを備えている。
【００２１】
文字板３１は、板状に形成されている。文字板３１は、図４に示すように、透光性を有した合成樹脂で構成された文字板本体３１ｃと、文字板本体の乗員と相対する側の表面に形成された遮光性の遮光層３１ｄと、を備えている。遮光層３１ｄの表面は、文字板３１の乗員と相対する側の前面３１ａをなしている。また、この遮光層３１ｄを一部形成しないことで、文字板３１の前面３１ａには、図６に示すように、車速を表示する表示意匠としての目盛３２が形成されている。
【００２２】
目盛３２は、内縁目盛と、内縁目盛の外側に配された数値目盛とを備えている。内縁目盛と数値目盛は、それぞれ、文字板３１上でＣ字状に並んでいる。文字板３１は、裏カバー１０の内面１０ａに重ねられ、内面１０ａから立設した係止爪（図示せず）に係止して裏カバー１０に取り付けられる。
【００２３】
基板３３は、周知のプリント基板であり、平板状に形成されている。基板３３には、所定の回路パターン（図示せず）が形成され、図７に示すように、文字板用ＬＥＤ３６や指針用ＬＥＤ３７、ムーブメント３５等の動作を制御するためのマイコン等の電子部品（図示せず）が実装され、ムーブメント３５が取り付けられている。また、基板３３は、図３に示すように、表パネル２０の裏面から立設した係止爪２０ｂに係止して、表パネル２０の平面方向と平行となる向きで表パネル２０に取り付けられる。表パネル２０が裏カバー１０に取り付けられると、基板３３は文字板３１の前面３１ａ側に配される。
【００２４】
ムーブメント３５は、車両に搭載された車速計測手段（図示せず）と接続されている。ムーブメント３５は、前記車速計測手段が計測した計測量に応じて回転する出力軸３５ａを備えている。ムーブメント３５は、基板３３の文字板３１から離れた側の前面３３ａに取り付けられ、出力軸３５ａが基板３３を貫通した軸通し孔３４を通って裏面３３ｂ側に突出している。
【００２５】
文字板用ＬＥＤ３６は、基板３３の文字板３１と相対する側の裏面３３ｂに実装されている。また、文字板用ＬＥＤ３６は、図７に示すように、裏面３３ｂ上で導光板５の一対の受光部５２とそれぞれ相対する二箇所に配され、各箇所に複数ずつ（図示例では３つずつ）設けられている。
【００２６】
指針用ＬＥＤ３７は、図４に示すように、基板３３の裏面３３ｂに実装されている。指針用ＬＥＤ３７は、文字板用ＬＥＤ３６よりも軸通し孔３４寄りに配されて軸通し孔３４の外縁部に配され、基板３３を挟んでムーブメント３５の反対側に配されている。また、指針用ＬＥＤ３７は、裏面３３ｂ上で指針４の基端部４ａ（指針本体４１の受光面４２ａ）と相対する位置に配されている。
【００２７】
指針４は、基板３３と文字板３１との間に配され、前記車速計測手段が計測した計測量に応じてムーブメント３５によって回転されて、目盛３２を指示して前記計測量を表示する。指針４は、透光性を有した合成樹脂で構成された指針本体４１と、遮光性を有した合成樹脂で構成された指針袴４４及び指針キャップ４７と、を備えている。
【００２８】
指針本体４１は、受光部４２と指示部４３とを一体に備えている。受光部４２は、指針本体４１の一端部に設けられている。受光部４２には、指針用ＬＥＤ３７と相対して指針用ＬＥＤ３７の光が入射する受光面４２ａと、受光面４２ａから受光部４２内に入射した光を指示部４３に向かって反射する反射面４２ｂと、が設けられている。指示部４３は、受光部４２の受光面４２ａ及び反射面４２ｂから離れた部分に連なり、受光部４２から離れるにしたがって徐々に細くなるように形成されている。
【００２９】
指針袴４４は、略円盤状の上壁４５と、上壁４５に連なり当該上壁４５の外周方向に延びた上カバー４６と、を一体に備えている。上壁４５の図４中での下面には、指針本体４１の受光部４２が重ねられる。上壁４５には、受光面４２ａを外部に露出する受光孔４５ａが貫通している。また、上壁４５の図４中での上面には、嵌入凹部４５ｂが設けられている。嵌入凹部４５ｂは、上壁４５の中央に設けられ、ムーブメント３５の出力軸３５ａが嵌入される。
【００３０】
上カバー４６は、先端が閉じた樋状に形成され、内側に指示部４３を位置付けて当該指示部４３の先端面、両側面、及び前面（乗員と相対する側の面）を覆う。また、上カバー４６には、指示部４３の先端側において指示部４３の前記前面の一部を外部に露出する露出孔４６ａが貫通している。
【００３１】
指針キャップ４７は、円盤状の底壁４８と、底壁４８に連なり当該底壁４８の外周方向に延びた下カバー４９と、を一体に備えている。底壁４８は、指針袴４４の上壁４５との間に指針本体４１の受光部４２を挟む。下カバー４９は、板状に形成され、上カバー４６の開口を覆って、指示部４３の裏面を覆う。
【００３２】
前述した指針本体４１は、受光部４２が指針袴４４の上壁４５に重ねられて受光面４２ａが受光孔４５ａから外部に露出し、指示部４３が上カバー４６内に位置付けられて、指針袴４４に取り付けられる。その後、指針袴４４との間に指針本体４１を挟むように指針袴４４に指針キャップ４７が取り付けられて、指針４が組み立てられる。
【００３３】
そして、指針４は、嵌入凹部４５ｂに基板３３上のムーブメント３５の出力軸３５ａが嵌入されて出力軸３５ａに取り付けられ、受光部４２と上壁４５と底壁４８から構成される基端部４ａを中心に回転して、文字板３１上の目盛３２を指示する。基端部４ａは、指針用ＬＥＤ３７と相対する。
【００３４】
そして、指針用ＬＥＤ３７の光は、図４中に一点鎖線で示すように、受光面４２ａから受光部４２内に入射して反射面４２ｂによって指示部４３に向かって反射された後、指示部４３内を進んで指示部４３の露出孔４６ａから露出した部分から乗員に向かって放射される。こうして、乗員は、指針用ＬＥＤ３７の光によって光輝した指針４を視認する。
【００３５】
導光板５は、透光性を有した合成樹脂（透光性材料）で構成され、図８に示すように、導光部５１と受光部５２とを一体に備えている。導光部５１は、平面視Ｃ字状（馬蹄形状）の平板状に形成されている。導光部５１は、外縁部が文字板３１上の目盛３２に重なるような形状のＣ字状に形成されている。導光部５１は、外縁部にいくにしたがって徐々に肉薄になるように形成されている。
【００３６】
また、導光部５１には、拡散部５３が設けられている。拡散部５３は、図３、図４及び図９に示すように（便宜上、鋸歯状に示す）、導光部５１の文字板３１から離れた側の裏面５１ｂに設けられ、導光部５１の外縁部に設けられて文字板３１の目盛３２に対応する部分に設けられている。拡散部５３は、裏面５１ｂにシボ加工を施して形成され、微細な凹凸を多数有した粗面とされている。拡散部５３は、例えば導光板５を成形する金型の内面をシボ状にしておくことで形成することができる。なお、拡散部５３は、断面Ｖ字状の微細な溝を多数有した粗面等であってもよい。
【００３７】
受光部５２は、図８に示すように、導光部５１の両端部にそれぞれ連なって一対設けられている。受光部５２は、導光部５１よりも肉厚な板状に形成され、導光部５１の文字板３１が重ねられる前面５１ａから導光部５１の平面方向と略直交する方向に立設している。
【００３８】
導光部５１と受光部５２が連なる角部分には、反射面５４と傾斜面５５とが設けられている。反射面５４は、前記角部分の外側に設けられ、受光部５２の平面方向と導光部５１の平面方向の双方に交差するように傾斜している。反射面５４は、受光部５２内の光を導光部５１に向かって反射する。傾斜面５５は、前記角部分の内側に設けられ、反射面５４と平行な方向に傾斜している。
【００３９】
前述した導光板５は、導光部５１の裏面５１ｂが裏カバー１０の内面１０ａと相対する向きで裏カバー１０に近づけられ、導光部５１が収容凹部１３内に収容され、受光部５２の一方の表面及び両側面が内壁１４に重ねられて、裏カバー１０の所定位置に位置付けられた後、内面１０ａから立設した係止爪（図示せず）に係止して裏カバー１０に取り付けられる。すると、導光部５１の前面５１ａが内面１０ａと面一になり、裏カバー１０の内面１０ａに文字板３１を重ねると、裏カバー１０と文字板３１の間に導光板５が挟まれる格好になり、前面５１ａが文字板３１に重ねられる。
【００４０】
そして、裏カバー１０に表パネル２０が取り付けられると、受光部５２の先端面５２ａが、表パネル２０に係止した基板３３上の文字板用ＬＥＤ３６と相対する。文字板用ＬＥＤ３６の光は、図４中に一点鎖線で示すように先端面５２ａから受光部５２内に入射した後、反射面５４によって導光部５１に向かって反射され、導光部５１内を進んで拡散部５３に到達する。拡散部５３に到達した光は、拡散部５３によって拡散され、導光部５１の前面５１ａでかつ導光部５１の外縁部から文字板３１に向かって均一に放射された後、文字板３１内を通って文字板３１の目盛３２から乗員に向かって放射される。こうして、乗員は、文字板用ＬＥＤ３６の光によって光輝した目盛３２を視認する。
【００４１】
前述した計器装置１は、さらに、遮光部６と、第２遮光部７と、第３遮光部８とを備えている。遮光部６と第２遮光部７と第３遮光部８とは、例えば黒色の合成樹脂等の遮光性を有した合成樹脂（遮光性材料）で構成されている。
【００４２】
遮光部６は、図８及び図９に示すように、平板部６１と、平板部６１に連なる傾斜片６２とを備えている。平板部６１は、矩形板状に形成され、導光板５の受光部５２と略等しい幅でかつ受光部５２よりも長く形成されている。傾斜片６２は、受光部５２と略等しい幅に形成され、平板部６１の長手方向（図８中で上下方向）の一端部側の外縁全長から平板部６１の平面方向に対して傾斜する方向に立設している。
【００４３】
前述した遮光部６は、図９に示すように、平板部６１が導光板５の受光部５２の文字板３１と相対する側の表面５２ｂに重ねられ、傾斜片６２が傾斜面５５に重ねられる。その後、遮光部６は、裏カバー１０の内面１０ａから立設した係止爪（図示せず）に係止して裏カバー１０に取り付けられる。そして、裏カバー１０に基板３３の取り付けられた表パネル２０が取り付けられると、平板部６１の端面６１ａが基板３３の裏面３３ｂに重ねられて、文字板用ＬＥＤ３６の光が直接文字板３１の前面３１ａに向かうことを防止する。
【００４４】
さらに、傾斜片６２の端面６２ａが文字板３１の外周面に重ねられ、受光部５２内を通る光が表面５２ｂから文字板３１の前面３１ａに放射されることを防止する。このように、遮光部６は、文字板用ＬＥＤ３６及び受光部５２と、文字板３１との間を仕切って、文字板用ＬＥＤ３６及び受光部５２から文字板３１の前面３１ａへ向かおうとする光を遮る。
【００４５】
第２遮光部７は、図４に示すように、基板３３に設けられている。第２遮光部７は、基板３３の裏面３３ｂから立設した円筒状に形成されている。第２遮光部７は、軸通し孔３４を囲むように形成されている。また、第２遮光部７は、軸通し孔３４内の出力軸３５ａと指針用ＬＥＤ３７との間の距離よりも大きな内径に形成され、指針用ＬＥＤ３７を囲んでいる。
【００４６】
第３遮光部８は、図４に示すように、指針４に設けられ、指針袴４４と一体に形成されている。第３遮光部８は、指針袴４４の上壁４５の外縁全周（指針４の基端部４ａ）から、指針キャップ４７から離れる方向に立設した円筒状に形成されている。第３遮光部８は、第２遮光部７の外径よりも大きな内径に形成されている。第３遮光部８は、指針４が基板３３上のムーブメント３５に取り付けられたときに、先端部が第２遮光部７の先端部と重なるような突出量に形成されている。
【００４７】
前述した第３遮光部８は、指針４が基板３３上のムーブメント３５に取り付けられると、基板３３に向かって立設し、先端部が第２遮光部７の先端部を内側に位置付けて第２遮光部７を囲む。そして、第２遮光部７の開口は、第３遮光部８及び指針袴４４の上壁４５に覆われる。第２遮光部７及び第３遮光部８は、指針用ＬＥＤ３７から文字板３１の前面３１ａへ向かおうとする光を遮る。
【００４８】
前述した構成の計器装置１を組み立てる際には、まず、導光板５を裏カバー１０に近づけていき、導光部５１を収容凹部１３内に位置付けて受光部５２を内壁１４に重ねて、導光板５を裏カバー１０に取り付ける。次いで、遮光部６を受光部５２の表面５２ｂ及び傾斜面５５に重ねて裏カバー１０に取り付け、遮光部６と内壁１４とで受光部５２を囲むようにする。そして、文字板３１を、導光部５１の前面５１ａ及び裏カバー１０の内面１０ａに重ねて裏カバー１０に取り付ける。
【００４９】
また、文字板用ＬＥＤ３６や指針用ＬＥＤ３７が裏面３３ｂに実装された基板３３の前面３３ａにムーブメント３５を取り付け、裏面３３ｂ側に突出した出力軸３５ａに指針４を取り付ける。すると、第３遮光部８が第２遮光部７を囲んで第３遮光部８と指針４の基端部４ａが第２遮光部７の開口を覆うとともに、基端部４ａが指針用ＬＥＤ３７と相対する。次いで、基板３３を、指針４を文字板３１との間に位置付けるような向きで表パネル２０に取り付ける。最後に、表パネル２０を裏カバー１０に取り付けて、計器装置１が組み立てられる。
【００５０】
こうして計器装置１が組み立てられると、図４に示すように、文字板用ＬＥＤ３６と指針用ＬＥＤ３７は、基板３３から文字板３１に向かって突出し、基板３３と文字板３１の間の指針４が配されるスペースに位置付けられる。そして、文字板用ＬＥＤ３６は、導光板５の受光部５２と相対する。文字板用ＬＥＤ３６の光は、遮光部６によって文字板３１の前面３１ａ側に漏れることなく、受光部５２内に入射して反射面５４に到達する。その後、反射面５４によって導光部５１に向かって反射された光は、拡散部５３で拡散された後に導光部５１から文字板３１に向かって均一に放射され、文字板３１の目盛３２から乗員に向かって放射される。
【００５１】
また、指針用ＬＥＤ３７の光は、第２遮光部７及び第３遮光部８によって文字板３１の前面３１ａ側に漏れることなく指針本体４１内に入射した後に、露出孔４６ａから乗員に向かって放射される。こうして、乗員は、文字板用ＬＥＤ３６や指針用ＬＥＤ３７の光の漏れがなく目盛３２のみが均一に光輝した文字板３１を視認する。
【００５２】
本実施形態によれば、文字板用ＬＥＤ３６と導光板５の受光部５２が基板３３と文字板３１の間のスペースに位置付けられるので、計器装置１を小型化（薄型化）できる。さらに、文字板用ＬＥＤ３６を文字板３１の前面３１ａ側に設けても、遮光部６が文字板用ＬＥＤ３６や受光部５２から漏れて前面３１ａへと向かおうとする光を遮るので、前面３１ａが照らされることがなく、目盛３２の視認性を向上させることができる。
【００５３】
また、指針用ＬＥＤ３７が基板３３と文字板３１の間のスペースに位置付けられるので、計器装置１をさらに小型化（薄型化）できる。また、指針用ＬＥＤ３７が基板３３を挟んでムーブメント３５の反対側に設けられているので、基板３３上に指針用ＬＥＤ３７を実装するスペースを別途確保する必要がなく、計器装置１をさらに小型化できる。さらに、第２遮光部７及び第３遮光部８が指針用ＬＥＤ３７から文字板３１の前面３１ａへと向かおうとする光を遮るので、指針４を十分に光輝させることができるだけでなく、前面３１ａが照らされることがなくなって、目盛３２の視認性をさらに向上させることができる。
【００５４】
また、拡散部５３が導光部５１内の光を拡散させるので、文字板３１の目盛３２を均一に光輝させることができ、目盛３２の視認性をさらに向上させることができる。
【００５５】
前述した実施形態においては、計器装置１がスピードメータであったが、タコメータや、スピードメータやタコメータ等を備えた車両用コンビネーションメータ等であってもよい。また、前述した実施形態においては、第３遮光部８が第２遮光部７を囲んでいたが、第２遮光部７が第３遮光部８を囲むようにしてもよい。
【００５６】
なお、前述した実施形態は本発明の代表的な形態を示したに過ぎず、本発明は、前述した実施形態に限定されるものではない。即ち、本発明の骨子を逸脱しない範囲で種々変形して実施することができる。
【符号の説明】
【００５７】
１    計器装置
４    指針
４ａ    基端部
５    導光板
６    遮光部
７    第２遮光部
８    第３遮光部
３１    文字板
３１ａ    前面
３１ｂ    裏面
３２    目盛（表示意匠）
３３    基板
３３ｂ    裏面
３５    ムーブメント（内機）
３６    文字板用ＬＥＤ（文字板用光源）
３７    指針用ＬＥＤ（指針用光源）
５１    導光部
５１ｂ    裏面
５２    受光部
５３    拡散部
【図１】
0005385109.tif 000002
【図２】
0005385109.tif 000003
【図３】
0005385109.tif 000004
【図４】
0005385109.tif 000005
【図５】
0005385109.tif 000006
【図６】
0005385109.tif 000007
【図７】
0005385109.tif 000008
【図８】
0005385109.tif 000009
【図９】
0005385109.tif 000010